【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
パラメータの所属グループを表すグループパラメータ項目と、当該グループパラメータ項目に所属する下位層である、前記パラメータの名称と前記パラメータに設定された設定値とを含んでなる設定パラメータ項目とを縦方向に配列したリスト（３４）を表示装置（２１）に表示させる表示制御部（２４）を備え、
前記表示制御部は、
前記グループパラメータ項目を、所定幅を有する枠状区画内に表示させ、
前記設定パラメータ項目を、前記グループパラメータ項目が表示された枠状区画と同じ幅を有する枠状区画内に、前記パラメータの名称を左寄せで表示させるとともに前記パラメータの名称の下に右寄せで前記パラメータに設定された設定値を表示させ、さらに、前記設定パラメータ項目が表示される当該枠状区画を、所属する前記グループパラメータ項目が表示される枠状区画の直下に配列して、前記リストとして前記表示させるパラメータ設定装置。
【請求項２】
前記表示制御部は、前記各設定パラメータ項目において、前記パラメータの名称と、前記パラメータに設定された設定値とを互いに異なる表示態様で前記表示装置に表示させる請求項１に記載のパラメータ設定装置。
【請求項３】
前記表示制御部は、前記パラメータの名称と、前記パラメータに設定された設定値とを互いに異なる表示色で前記表示装置に表示させる請求項２に記載のパラメータ設定装置。
【請求項４】
前記グループパラメータ項目は、さらに上の階層のグループを表す上位グループパラメータ項目に所属する階層構成の一部を成しており、
前記表示制御部は、
前記上位グループパラメータ項目を前記表示装置に更に表示させるようになっており、
第１階層である前記上位グループパラメータ項目をタブ（３３）で表示させ、
選択された前記タブに対応した前記上位グループパラメータ項目に所属する第２階層の前記グループパラメータ項目、および当該グループパラメータ項目に所属する第３階層の前記設定パラメータ項目を前記リストとして前記表示させる請求項１ないし請求項３のいずれか１つの請求項に記載のパラメータ設定装置。
【請求項５】
パラメータ設定装置によってパラメータを設定するパラメータ設定方法であって、
前記パラメータの所属グループを表すグループパラメータ項目と、当該グループパラメータ項目に所属する下位層である、前記パラメータの名称と前記パラメータに設定された設定値とを含んでなる設定パラメータ項目とを縦方向に配列したリスト（３４）を表示装置（２１）に表示させる表示制御ステップを有し、
前記表示制御ステップでは、
前記グループパラメータ項目を、所定幅を有する枠状区画内に表示させ、
前記設定パラメータ項目を、前記グループパラメータ項目が表示された枠状区画と同じ幅を有する枠状区画内に、前記パラメータの名称を左寄せで表示させるとともに前記パラメータの名称の下に右寄せで前記パラメータに設定された設定値を表示させ、さらに、前記設定パラメータ項目が表示される当該枠状区画を、所属する前記グループパラメータ項目が表示される枠状区画の直下に配列して、前記リストとして前記表示させるパラメータ設定方法。
【手続補正２】
【補正対象書類名】明細書
【補正対象項目名】発明の名称
【補正方法】変更
【補正の内容】
【発明の名称】パラメータ設定装置及びパラメータ設定方法
【手続補正３】
【補正対象書類名】明細書
【補正対象項目名】０００６
【補正方法】変更
【補正の内容】
【０００６】
本発明のパラメータ設定装置は、パラメータの所属グループを表すグループパラメータ項目と、当該グループパラメータ項目に所属する下位層である、前記パラメータの名称と前記パラメータに設定された設定値とを含んでなる設定パラメータ項目とを縦方向に配列したリスト（３４）を表示装置（２１）に表示させる表示制御部（２４）を備え、前記表示制御部は、前記グループパラメータ項目を、所定幅を有する枠状区画内に表示させ、前記設定パラメータ項目を、前記グループパラメータ項目が表示された枠状区画と同じ幅を有する枠状区画内に、前記パラメータの名称を左寄せで表示させるとともに前記パラメータの名称の下に右寄せで前記パラメータに設定された設定値を表示させ、さらに、前記設定パラメータ項目が表示される当該枠状区画を、所属する前記グループパラメータ項目が表示される枠状区画の直下に配列して、前記リストとして前記表示させる構成を有している。
【手続補正４】
【補正対象書類名】明細書
【補正対象項目名】０００７
【補正方法】変更
【補正の内容】
【０００７】
この構成により、本発明のパラメータ設定装置は、設定パラメータ項目にて、パラメータの名称を左寄せで表示させるとともに、パラメータの名称の下に右寄せでパラメータの設定値を表示させることにより、パラメータの名称とパラメータの設定値とを上下方向に重複して表示させることができるため、複数のパラメータの名称と設定値とを文字サイズを小さくすることなくコンパクトに表示装置に表示させることができる。
さらにこの構成により、本発明のパラメータ設定装置は、設定パラメータ項目を上位階層のグループパラメータ項目と同じリストに表示させることにより、両パラメータ項目を幅方向にコンパクトに表示装置に表示させることができる。
【手続補正５】
【補正対象書類名】明細書
【補正対象項目名】００１０
【補正方法】変更
【補正の内容】
【００１０】
また、前記グループパラメータ項目は、さらに上の階層のグループを表す上位グループパラメータ項目に所属する階層構成の一部を成しており、前記表示制御部は、前記上位グループパラメータ項目を前記表示装置に更に表示させ、第１階層である前記上位グループパラメータ項目をタブ（３３）で表示させ、選択された前記タブに対応した前記上位グループパラメータ項目に所属する第２階層の前記グループパラメータ項目、および当該グループパラメータ項目に所属する第３階層の前記設定パラメータ項目を前記リストとして前記表示させるようにしてもよい。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、本発明のパラメータ設定方法は、パラメータ設定装置によってパラメータを設定するパラメータ設定方法であって、前記パラメータの所属グループを表すグループパラメータ項目と、当該グループパラメータ項目に所属する下位層である、前記パラメータの名称と前記パラメータに設定された設定値とを含んでなる設定パラメータ項目とを縦方向に配列したリスト（３４）を表示装置（２１）に表示させる表示制御ステップを有し、前記表示制御ステップでは、前記グループパラメータ項目を、所定幅を有する枠状区画内に表示させ、前記設定パラメータ項目を、前記グループパラメータ項目が表示された枠状区画と同じ幅を有する枠状区画内に、前記パラメータの名称を左寄せで表示させるとともに前記パラメータの名称の下に右寄せで前記パラメータに設定された設定値を表示させ、さらに、前記設定パラメータ項目が表示される当該枠状区画を、所属する前記グループパラメータ項目が表示される枠状区画の直下に配列して、前記リストとして前記表示させる。
【手続補正８】
【補正対象書類名】図面
【補正対象項目名】図４
【補正方法】変更
【補正の内容】
【図４】
2016197458.tif 000001
【手続補正９】
【補正対象書類名】図面
【補正対象項目名】図５
【補正方法】変更
【補正の内容】
【図５】
2016197458.tif 000002
【手続補正１０】
【補正対象書類名】図面
【補正対象項目名】図６
【補正方法】変更
【補正の内容】
【図６】
2016197458.tif 000003
【手続補正１１】
【補正対象書類名】図面
【補正対象項目名】図７
【補正方法】変更
【補正の内容】
【図７】
2016197458.tif 000004
【手続補正１２】
【補正対象書類名】図面
【補正対象項目名】図８
【補正方法】変更
【補正の内容】
【図８】
2016197458.tif 000005
【手続補正１３】
【補正対象書類名】図面
【補正対象項目名】図９
【補正方法】変更
【補正の内容】
【図９】
2016197458.tif 000006
【手続補正１４】
【補正対象書類名】図面
【補正対象項目名】図１０
【補正方法】変更
【補正の内容】
【図１０】
2016197458.tif 000007
【手続補正１５】
【補正対象書類名】図面
【補正対象項目名】図１１
【補正方法】変更
【補正の内容】
【図１１】
2016197458.tif 000008
【手続補正１６】
【補正対象書類名】図面
【補正対象項目名】図１２
【補正方法】変更
【補正の内容】
【図１２】
2016197458.tif 000009
【手続補正１７】
【補正対象書類名】図面
【補正対象項目名】図１３
【補正方法】変更
【補正の内容】
【図１３】
2016197458.tif 000010